(57)【特許請求の範囲】
【請求項１】
表示領域に、複数行の走査線と、複数列のデータ線と、前記複数行の走査線と前記複数列のデータ線との交差に対応して設けられた複数の画素とを配置し、
前記複数行の走査線に所定の順番で走査信号を出力する走査線駆動回路と、
前記複数列のデータ線に所定の順番でデータ信号を出力するデータ線駆動回路とを備えた電気光学装置において、
前記表示領域は、前記走査線に沿って、前記複数行の走査線のうちの半分の走査線を含む第１領域と前記複数行の走査線のうちの残りの走査線を含む第２領域とに分割され、
前記走査線駆動回路は、
第１の転送開始パルスを順次にシフトして第１シフト信号を生成し、第２の転送開始パルスを順次にシフトして第２シフト信号を生成し、前記第１シフト信号と第２シフト信号とを同時に出力するシフトレジスタと、
前記複数行の走査線毎に配置された複数の論理積回路とを備え、
前記第１領域の奇数行の走査線に配置された論理積回路には、前記第１シフト信号と第１イネーブル信号が入力され、前記第１領域の偶数行の走査線に配置された論理合成回路には、前記第１シフト信号と第２イネーブル信号が入力され、前記第２領域の奇数行の走査線に配置された論理積回路には、前記第２シフト信号と第３イネーブル信号が入力され、前記第２領域の偶数行の走査線に配置された論理積回路には、前記第２シフト信号と第４イネーブル信号が入力され、前記第１乃至第４イネーブル信号が、順番に排他的にアクティブになることで、前記第１領域における走査線を１行ずつ所定の順番で２行を選択した後、前記第２領域における走査線を１行ずつ所定の順番で２行を選択し、
前記第１領域で２行の走査線を順番に選択するときには、最初の走査線を選択する前に、前記複数列のデータ線のすべてに対し、第１の書込極性において所定の階調に応じた電圧を印加し、その後に、選択する最初の走査線に対応する画素に対し、前記画素の階調に応じた電圧のデータ信号を、前記複数列のデータ線の対応するデータ線に印加し、次の走査線を選択するときには、前記複数列のデータ線のいずれにも前記第１の書込極性において所定の階調に応じた電圧を印加することなく、当該次の走査線に位置する画素に対し、前記画素の階調に応じた電圧のデータ信号を、前記複数列のデータ線の対応するデータ線に印加し、
前記第２領域で２行の走査線を順番に選択するときには、最初の走査線を選択する前に、前記複数列のデータ線のすべてに対し、第２の書込極性において前記所定の階調に応じた電圧を印加し、その後に、選択する最初の走査線に対応する画素に対し、前記画素の階調に応じた電圧のデータ信号を、前記複数列のデータ線の対応するデータ線に印加し、次の走査線を選択するときには、前記複数列のデータ線のいずれにも前記第２の書込極性において前記所定の階調に応じた電圧を印加することなく、当該次の走査線に位置する画素に対し、前記画素の階調に応じた電圧のデータ信号を、前記複数列のデータ線の対応するデータ線に印加する
ことを特徴とする電気光学装置。
【請求項２】
請求項１に記載の電気光学装置を備えることを特徴とする電子機器。
【発明の詳細な説明】
【技術分野】
【０００１】
本発明は、液晶表示装置のような電気光学装置において、表示品位の向上を図る技術に
関する。
【背景技術】
【０００２】
近年では、液晶などの電気光学特性を用いて縮小画像を形成するとともに、この縮小画
像を光学系によって拡大投射するプロジェクタが普及しつつある。このような縮小画像を
形成する電気光学装置では、画素間が非常に狭いので、いわゆるディスクリネーション（
配向不良）が問題となる。このディスクリネーションについては、隣接画素同士を同一極
性とする面反転（フレーム反転ともいう）方式を採用することで回避できるが、面反転方
式では、表示画面の例えば上部と下部とで表示の均一性が失われる、という問題がある。
この表示の均一性を図るために、フレームの期間を例えば第１および第２期間に分割す
るとともに、表示領域を上領域（第１領域）と下領域（第２領域）とに分割する一方、上
領域と下領域とを交互に選択し、かつ、選択した各領域において走査線を上から下方向に
向かって選択し、第１期間においては、上領域を正極性とし、下領域を負極性とする一方
、第２期間においては、上領域を負極性とし、下領域を正極性とする、いわゆる領域走査
駆動が提案されている（特許文献１参照）。
【０００３】
また、データ線は、ガラスや石英等の基板上に形成されるとともに、互いに近接してい
るので、容量が寄生する。このため、データ線に、階調に応じた電圧のデータ信号が供給
されると当該電圧が当該寄生容量によって残存し、互いにデータ線の初期電圧状態が相違
し、これが原因で、表示品位が低下する場合がある。そこで、各データ線の初期電圧状態
を揃えるために、データ線にデータ信号を供給する直前に、すべてのデータ線を予め定め
られた電圧にプリチャージする技術も提案されている（特許文献２参照）。
【特許文献１】特開２００４−１７７９３０号公報
【特許文献２】特開平１０−１７１４２１号公報
【発明の開示】
【発明が解決しようとする課題】
【０００４】
ところで、電気光学装置では、表示画像の高解像度化が進行している。高解像度化は、
走査線の行数およびデータ線の列数を増加させることによって達成することができるが、
フレーム周波数は固定であるので、走査線行数の増加やデータ線列数の増加によって、画
素に対し、階調に応じた電圧を印加する期間が短縮してしまう。さらに、上記プリチャー
ジは、階調に応じた電圧を書き込む期間とは別に実行されるので、画素の書き込み期間を
さらに短縮化させてしまう方向に働く。したがって、表示画像の高解像度化と、表示品位
の低下防止とを両立させることが非常に困難であった。
本発明は、上述した事情に鑑みてなされたもので、その目的とするところは、表示画像
の高解像度化と、表示品位の低下防止とを両立させることが可能な電気光学装置、その駆
動方法および電子機器を提供することにある。
【課題を解決するための手段】
【０００５】
上記目的を達成するために、本発明は、複数の走査線と複数のデータ線との交差に対応
して設けられた複数の画素を備える電気光学装置の駆動方法であって、前記複数の走査線
を所定の順番で選択し、前記複数の走査線のうち、予め定めた一部の走査線を選択すると
きには、前記複数のデータ線を所定の電圧にプリチャージし、この後、選択した走査線に
位置する画素に対し、当該画素の階調に応じたデータ信号を、当該画素に対応するデータ
線にそれぞれ供給する一方、前記一部の走査線以外の走査線を選択するときには、前記プ
リチャージを省略して、前記データ信号を当該画素に対応するデータ線にそれぞれ供給す
ることを特徴とする。本発明によれば、一部の走査線以外の走査線に対応する画素に対し
て電圧を書き込む前のプリチャージが省略されるので、その分の時間を、電圧書き込み時
間を長くすることができる。
【０００６】
本発明において、前記画素は、前記走査線が選択されたときに前記データ線に供給され
たデータ信号の電圧と所定の基準電圧との差に応じた階調となり、前記走査線を２行以上
選択する毎に、前記データ信号の電圧を前記基準電圧よりも高位側の正極性と低位側の負
極性とで反転させ、一の走査線を選択する場合に、直前に選択した走査線に位置する画素
へのデータ信号の極性と異なる極性のデータ信号を供給するとき、そのデータ信号の供給
前に前記複数のデータ線を所定の電圧にプリチャージする一方、直前に選択した走査線に
位置する画素へのデータ信号の極性と同一極性のデータ信号を供給するとき、前記プリチ
ャージを省略しても良い。また、本発明において、前記一部の走査線を所定の周期で変更
しても良い。
【０００７】
さらに、本発明は、複数行の走査線と複数列のデータ線との交差に対応して設けられ、
前記走査線が選択されたときに、前記データ線に供給されたデータ信号の電圧に応じた階
調となる画素を複数有し、前記複数の画素が配列する表示領域が、前記走査線に沿って少
なくとも第１領域および第２領域に分割された電気光学装置の駆動方法であって、前記第
１領域における走査線を１行ずつ所定の順番で２行以上選択した後、前記第２領域におけ
る走査線を１行ずつ所定の順番で２行以上選択し、前記第１領域で２行以上の走査線を順
番に選択するときには、最初の走査線を選択する直前に、前記複数のデータ線を所定の電
圧にプリチャージし、その後に、選択する最初の走査線に位置する画素に対し、所定の基
準電圧よりも階調に応じた電圧だけ高位側または低位側の一方にシフトさせた電圧のデー
タ信号を、当該画素に対応するデータ線にそれぞれ印加し、次の走査線を選択するときに
は、前記プリチャージを省略して、当該次の走査線に位置する画素に対し、所定の基準電
圧よりも階調に応じた電圧だけ高位側または低位側の一方にシフトさせた電圧のデータ信
号を、当該画素に対応するデータ線にそれぞれ印加し、前記第２領域で２行以上の走査線
を順番に選択するときには、最初の走査線を選択する直前に、前記複数のデータ線を所定
の電圧にプリチャージし、その後に、選択する最初の走査線に位置する画素に対し、所定
の基準電圧よりも階調に応じた電圧だけ高位側または低位側の他方にシフトさせた電圧の
データ信号を、当該画素に対応するデータ線にそれぞれ印加し、次の走査線を選択すると
きには、前記プリチャージを省略して、当該次の走査線に位置する画素に対し、所定の基
準電圧よりも階調に応じた電圧だけ高位側または低位側の他方にシフトさせた電圧のデー
タ信号を、当該画素に対応するデータ線にそれぞれ印加しても良い。
なお、本発明は、電気光学装置の駆動方法のみならず、電気光学装置としても、さらに
は、当該電気光学装置を有する電子機器としても概念することが可能である。
【発明を実施するための最良の形態】
【０００８】
以下、本発明の実施の形態について図面を参照して説明する。図１は、本発明の実施形
態に係る電気光学装置の構成を示すブロック図である。
この図に示されるように、電気光学装置１０は、表示領域１００の周辺に走査線駆動回
路１３０およびデータ線駆動回路１４０を配設するとともに、タイミング制御回路２０を
有する構成となっている。このうち、表示領域１００では、３２０行の走査線１１２が行
（Ｘ）方向に延在するように設けられ、また、３列毎にグループ化された４８０（＝１６
０×３）列のデータ線１１４が列（Ｙ）方向に延在するように、かつ、各走査線１１２と
互いに電気的な絶縁を保つように、設けられている。
【０００９】
ここで、画素１１０は、３２０行の走査線１１２と４８０列のデータ線１１４との交差
に対応して、それぞれ配列している。したがって、本実施形態では、画素１１０が縦３２
０行×横４８０列で、マトリクス状に配列することになるが、本発明をこの配列に限定す
る趣旨ではない。また、本実施形態において、表示領域１００を便宜的に、１行目から１
６０行目までの走査線１１２に対応する上領域と、１６１行目から３２０行目までの走査
線１１２に対応する下領域とに分けている。なお、１グループを構成する３列のデータ線
１１４を区別するために、それぞれａ、ｂ、ｃ系列と呼ぶ場合がある。
【００１０】
図２は、画素１１０の電気的な構成を示す図である。
なお、この図は、ｉ行目の走査線１１２と、図１において左から数えてｊ番目のグルー
プに属する３列のデータ線１１４との交差に対応する３つの画素１１０の構成が示されて
いる。また、ここでいうｉは、画素１１０が配列する行を一般的に示す場合の記号であり
、ｊは、グループの番目を一般的に示す場合の記号である。本実施形態においては、デー
タ線１１４の３列毎に１グループが構成されているので、ｊ番目のグループは、（３ｊ−
２）列目、（３ｊ−１）列目および（３ｊ）列目のデータ線１１４から構成されることに
なる。
【００１１】
さて、図２に示されるように、３つの画素１１０の電気的な構成は互いに同一であり、
それぞれ、ｎチャネル型の薄膜トランジスタ（Thin Film Transistor：以下単に「ＴＦＴ
」と略称する）１１６と、液晶容量１２０と、保持容量１２５とを有する。このうち、Ｔ
ＦＴ１１６のゲートは対応するｉ行目の走査線１１２に接続される一方、そのソースは対
応するデータ線１１４に接続され、そのドレインは液晶容量１２０の一端たる画素電極１
１８と、保持容量１２５の一端とにそれぞれに接続されている。また、液晶容量１２０の
他端は対向電極１０８である。この対向電極１０８は、全ての画素１１０にわたって共通
であって、時間的に一定の電圧ＬＣcomが印加されている。なお、保持容量１２５の他端
は、すべての画素１１０にわたって共通であって、時間的に一定の電位、例えば接地電位
Ｇndに保たれている。
【００１２】
表示領域１００は、特に図示しないが、素子基板と対向基板との一対の基板が一定の間
隙を保って貼り合わせられるとともに、この間隙に液晶１０５が挟持された構成である。
このうち、素子基板には、走査線１１２や、データ線１１４、ＴＦＴ１１６および画素電
極１１８が形成される一方、対向基板には、対向電極１０８が形成されて、これらの電極
形成面が互いに対向するように貼り合わせられている。このため、本実施形態において液
晶容量１２０は、画素電極１１８、対向電極１０８及び液晶１０５から構成されるもので
ある。
また、両基板の各対向面には、液晶分子の長軸方向が両基板間で例えば約９０度連続的
に捻れるようにラビング処理された配向膜がそれぞれ設けられる一方、両基板の各背面側
には配向方向に応じた偏光子がそれぞれ設けられる。
画素電極１１８と対向電極１０８との間を通過する光は、液晶容量１２０に保持される
電圧実効値がゼロであれば、液晶分子の捻れに沿って約９０度旋光する一方、当該電圧実
効値が大きくなるにつれて、液晶分子が電界方向に傾く結果、その旋光性が消失する。こ
のため、例えば透過型において、入射側と背面側とに、偏光子を偏光軸が配向方向に一致
するようにそれぞれ配置させると、当該電圧実効値が小さくなるにつれて、光の透過率が
増加して明るくなる表示となる（ノーマリーホワイトモード）。
【００１３】
したがって、走査線１１２をＨレベルとし（選択電圧を印加して）、ＴＦＴ１１６をオ
ン（導通）させるとともに、画素電極１１８にデータ線１１４およびオン状態のＴＦＴ１
１６を経由して、電圧ＬＣcom（電圧ＬＣcom以外の所定電圧としても良い）と比較して目
標とする階調（明るさ）に応じた電圧だけ高位（正極性）または低位（負極性）にシフト
させた電圧を印加することにより、当該液晶容量１２０に、階調に応じた電圧実効値を保
持させることが可能となる。
【００１４】
説明を図１に戻すと、タイミング制御回路２０は、走査線駆動回路１３０とデータ線駆
動回路１４０とをそれぞれ制御するものである。
詳述すると、タイミング制御回路２０は、図示省略した外部上位回路から供給される画
像データＤsに同期して、表示領域１００を垂直走査するための複数の制御信号（総称し
てＣtrYと表記）を生成して走査線駆動回路１３０に供給するとともに、表示領域１００
を水平走査するための複数の制御信号（総称してＣtrXと表記）を生成してデータ線駆動
回路１４０に供給する。ここで、画像データＤsは、画素１１０の明るさ（階調）を指定
するディジタルデータであり、走査線駆動回路１３０による走査線１１２の選択に同期し
て、選択走査線１１２に位置する１行分の画素１１０の画像データＤsが、その選択の前
に、上記外部上位回路から供給される構成となっている。
また、タイミング制御回路２０は、１行の走査線１１２が選択される期間において各グ
ルーブにおける３列のデータ線１１４を順番に選択するとともに、すべてのデータ線１１
４をプリチャージするための信号Ｓ１、Ｓ２、Ｓ３を出力する。
【００１５】
走査線駆動回路１３０は、１、２、３、…、３２０行目の走査線１１２に、走査信号Ｇ
1、Ｇ2、Ｇ3、…、Ｇ320を供給するものであり、詳細な構成については図３に示される通
りである。
図３において、シフトレジスタ１３２は、走査線数「３２０」の半分である「１６０」
の段数を有し、クロック信号ＣＬＹが立ち上がる毎に、当該クロック信号ＣＬＹの１周期
分のパルス幅を持つ転送開始パルスＤＹを順次シフトして、そのシフト信号をＹ1、Ｙ2、
Ｙ3、…、Ｙ160として出力する。
各シフト信号は、それぞれ２経路に分配されて、各行において一対一に設けられたＡＮ
Ｄ回路１３４における一方の入力端に供給される。このため、シフト信号Ｙ1、Ｙ2、Ｙ3
、…、Ｙ80が、上領域の走査線１１２に対応する走査信号の基礎となり、シフト信号Ｙ81
、Ｙ82、Ｙ83、…、Ｙ160が、下領域の走査線１１２に対応する走査信号の基礎となる。
【００１６】
一方、上領域に属するＡＮＤ回路１３４のうち、奇数（１、３、５、…、１５９）行目
に対応するＡＮＤ回路１３４における他方の入力端にはイネーブル信号Ｅnb1が供給され
、偶数（２、４、６、…、１６０）行目に対応するＡＮＤ回路１３４における他方の入力
端にはイネーブル信号Ｅnb2が供給される。一方、下領域に属するＡＮＤ回路１３４のう
ち、奇数（１６１、１６３、１６５、…、３１９）行目に対応するＡＮＤ回路１３４にお
ける他方の入力端にはイネーブル信号Ｅnb3が供給され、偶数（１６２、１６４、１６６
、…、３２０）行目に対応するＡＮＤ回路１３４における他方の入力端にはイネーブル信
号Ｅnb4が供給される。
【００１７】
ＡＮＤ回路１３４は、一方の入力端に供給されたシフト信号と他方の入力端に供給され
たイネーブル信号との論理積信号を求め、当該論理積信号を走査信号として出力する。換
言すれば、シフト信号は、他方の入力端に供給されたイネーブル信号のパルス幅に狭めら
れて、走査信号として出力される。
なお、実際には、ＡＮＤ回路１３４による論理積信号は、低振幅の論理信号であるので
、これを高振幅の論理信号にレベルシフタ（図示省略）によって振幅変換されるが、論理
レベルで見る限り、ＡＮＤ回路１３４による論理積信号を走査信号と同視して構わない。
また、クロック信号ＣＬＹ、転送開始パルスＤＹ、イネーブル信号Ｅnb1、Ｅnb2、Ｅnb
3、Ｅnb4が、タイミング制御回路２０から供給され、これらを総称したものが制御信号Ｃ
trYとなる。
【００１８】
一方、データ線駆動回路１４０は、データ信号供給回路１４２と、各データ線１１４の
一端に設けられたスイッチ１４４とを含む。ここで、データ信号供給回路１４２の構成に
ついて図４を参照して説明する。
この図に示されるように、データ信号供給回路１４２は、分配器１４２１、ラッチ回路
１４２２、１４２３、セレクタ１４２４、Ｄ／Ａ変換器１４２５、バッファ回路１４２６
を含む。
このうち、分配器１４２１は、画素１行分の画像データＤsを、各列に対応して設けら
れるラッチ回路１４２２に分配するものである。各列に対応するラッチ回路１４２２は、
それぞれ分配された画像データＤsをラッチするものであり、本実施形態では１６０列毎
にブロック化されている。詳細には、本実施形態では、データ線１１４の列数が「４８０
」であり、３列毎にグループ化されているので、ラッチ回路１４２２は、各グループのａ
、ｂ、ｃ系列に対応して、３つのブロックＢａ、Ｂｂ、Ｂｃに分類される。
【００１９】
ここで、ブロックＢａは、ａ系列である１、４、７、…、４７８列目のデータ線１１４
に対応するラッチ回路１４２２から構成され、ブロックＢｂは、ｂ系列である２、５、８
、…、４７９列目のデータ線１１４に対応するラッチ回路１４２２から構成され、ブロッ
クＢｃは、ｃ系列である３、６、９、…、４８０列目のデータ線１１４に対応するラッチ
回路１４２２から構成される。
一方、ラッチ回路１４２３は、プリチャージ電圧を規定するデータをラッチするもので
ある。このデータは、本実施形態では、例えばノーマリーホワイトモードにおいて最も明
るい階調を指定する画像データに相当し、図示省略した制御回路によって電源投入直後に
供給され、以後、電源が遮断されるまでラッチされる。
【００２０】
セレクタ１４２４は、信号Ｓ１、Ｓ２、Ｓ３に応じて、ブロックＢａ、Ｂｂ、Ｂｃのい
ずれかに属する１６０個のラッチ回路１４２２、または、１個のラッチ回路１４２３を選
択するものである。詳細には、セレクタ１４２４は、信号Ｓ１だけがＨレベルの場合にブ
ロックＢａを選択し、信号Ｓ２だけがＨレベルの場合にブロックＢｂを選択し、信号Ｓ３
だけがＨレベルの場合にブロックＢｃを選択し、それぞれ選択したブロックに属する１６
０個のラッチ回路１４２２にラッチされた１６０列分の画像データＤsを出力する。
ただし、セレクタ１４２４は、信号Ｓ１、Ｓ２、Ｓ３がすべてＨレベルの場合、１個の
ラッチ回路１４２３を選択して、当該ラッチ回路１４２３によってラッチされたデータを
、１６０列に分配して出力する。
【００２１】
Ｄ／Ａ変換器１４２５は、セレクタ１４２４の出力に対応して１６０列分設けられ、各
々は、当該セレクタ１４２４から出力された画像データＤsを、信号Ｐolによって正極性
が指定されていれば、当該画像データＤsで指定された階調に応じた電圧だけ電圧ＬＣcom
よりも高位側にシフトさせたアナログ電圧に変換し、負極性が指定されていれば、当該画
像データＤsで指定された階調に応じた電圧だけ電圧ＬＣcomよりも低位側にシフトさせた
アナログ電圧に変換する。
ただし、この変換については、画素１１０におけるＴＦＴ１１６が理想的なスイッチと
して機能する場合であり、実際には、ＴＦＴ１１６のゲート・ドレイン間の寄生容量に起
因して、オンからオフに状態変化するときにドレイン（画素電極１１８）の電位が低下す
る現象（プッシュダウン、突き抜け、フィールドスルーなどと呼ばれる）が発生する。液
晶の劣化を防止するため、液晶容量１２０に対しては交流駆動が原則であるが、対向電極
１０８に印加される電圧ＬＣcomを書込極性の基準として交流駆動すると、プッシュダウ
ンのために、負極性書込による液晶容量１２０の電圧実効値が、正極性書込による実効値
よりも若干大きくなってしまう（ＴＦＴ１１６がｎチャネルの場合）。このため、実際に
は、書込極性の基準電圧と対向電極１０８の電圧ＬＣcomとは別々であり、書込極性の基
準電圧は、プッシュダウンの影響が相殺されるように、電圧ＬＣcomよりも高位側にオフ
セットされるが、ここでは簡略化のために、書込極性の基準電圧を電圧ＬＣcomと同視し
て説明している。
バッファ回路１４２６は、Ｄ／Ａ変換器１４２５の出力に対応して１６０列分設けられ
、各々は、Ｄ／Ａ変換器１４２５によって変換されたアナログ電圧信号の出力インピーダ
ンスを低くし、データ信号ｄ１、ｄ２、ｄ３、…、１６０として出力するものである。
【００２２】
一方、図１に示されるように、各列のデータ線１１４には、スイッチ１４４の一端がそ
れぞれ接続されている。スイッチ１４４の他端は、左から数えて３列毎に共通接続されて
いる。すなわち、同一グループに属するデータ線１１４のスイッチ１４４の他端は共通接
続されている。本実施形態において、スイッチ１４４の他端の共通接続点は、列数の「４
８０」を、グループを構成するデータ線数の「３」で割った「１６０」となる。そして、
これらの接続点に対し、左から順に、データ信号供給回路１４２によるデータ信号ｄ１、
ｄ２、ｄ３、…、ｄ１６０が供給される。
各データ線１１４に対応するスイッチ１４４のうち、ａ系列（１、４、７、…、４７８
列目）のデータ線１１４に対応するものは信号Ｓ１がＨレベルとなったときにオンし、ｂ
系列（２、５、８、…、４７９列目）のデータ線１１４に対応するものは信号Ｓ２がＨレ
ベルとなったときにオンし、ｃ系列（３、６、９、…、４８０列目）のデータ線１１４に
対応するものは信号Ｓ３がＨレベルとなったときにオンする。なお、スイッチ１４４がオ
フであるデータ線１１４は、電圧不確定のハイ・インピーダンス状態となる。
また、外部上位回路から供給される画像データＤsを対応する列のラッチ回路１４２２
に分配するための信号（図示省略）や、極性指示信号Ｐolは、タイミング制御回路２０か
ら供給され、これらを総称したものが制御信号ＣtrXとなる。
【００２３】
次に、本実施形態に係る電気光学装置１０の動作について説明する。図５は、走査線駆
動回路１３０におけるシフトレジスタ１３２の動作を示すタイミングチャートであり、図
６は、走査信号の波形を示す図である。
図５に示されるように、本実施形態では、フレームが、第１フィールドと第２フィール
ドとに分割されるとともに、各フィールドの開始時に転送開始パルスＤＹが供給される。
ここで、フレームとは、全画素１１０に対し画像データＤsに応じた電圧の書き込みに要
する期間であり、約１６．７ミリ秒（６０Ｈｚの逆数）である。また、クロック信号ＣＬ
Ｙは、フレームにおいて１６０周期分（フィールドでみれば８０周期分）供給される。し
たがって、転送開始パルスＤＹをクロック信号ＣＬＹが立ち上がる毎に順次シフトしたシ
フト信号Ｙ1、Ｙ2、Ｙ3、Ｙ4、…、Ｙ160は、図５に示される通りとなる。
【００２４】
すなわち、図５に示されるように、フレーム（第１フィールド）の開始時に供給された
転送開始パルスＤＹがシフトレジスタ１３２によって転送されるので、シフト信号Ｙ1、
Ｙ2、Ｙ3、Ｙ4、…、Ｙ160は、１フレームの期間をかけてクロック信号ＣＬＹの１周期の
期間Ａ毎に順次排他的にＨレベルとなる。
また、転送開始パルスＤＹは、第２フィールドの開始時にも供給されて、シフトレジス
タ１３２によって転送される。このため、上領域の走査信号の基礎となるシフト信号Ｙ1
、Ｙ2、Ｙ3、…、Ｙ80がそれぞれＨレベルとなるとき、下領域の走査信号の基礎となるシ
フト信号Ｙ81、Ｙ82、Ｙ83、…、Ｙ160もそれぞれ同時にＨレベルとなる。
ここで、上領域のシフト信号を一般化して説明するために、整数ｐを用いると、図６に
示されるように、上領域のシフト信号ＹpがＨレベルとなるとき、下領域のシフト信号Ｙ(
p+80)も同時にＨレベルとなり、続くシフト信号Ｙ(p+1)がＨレベルとなるとき、シフト信
号Ｙ(p+81)も同時にＨレベルとなる。
【００２５】
一方、イネーブル信号Ｅnb1、Ｅnb2、Ｅnb3、Ｅnb4は、図６に示されるように、クロッ
ク信号ＣＬＹの立ち上がりから次の立ち上がりまでの１周期の期間Ａにおいて、すなわち
、２つのシフト信号がＨレベルとなる期間において、順番に排他的にＨレベルとなるよう
に、タイミング制御回路２０によって生成される。詳細には、イネーブル信号Ｅnb1、Ｅn
b2、Ｅnb3、Ｅnb4は、期間Ａのうち、期間Ｂ1、Ｂ2、Ｂ3、Ｂ4にて順番にＨレベルとなる
。
【００２６】
本実施形態において、期間Ｂ1、Ｂ2、Ｂ3、Ｂ4の時間長は同一であるが、期間Ｂ1、Ｂ2
は、時間的に互いに接近し、同様に期間Ｂ3、Ｂ4も互いに接近するが、期間Ｂ2、Ｂ3は時
間的に相対的に離間し、期間Ｂ4、Ｂ1も離間している。
なお、極性指示信号Ｐolは、図５に示されるように第１フィールドではクロック信号Ｃ
ＬＹと同一波形となる一方、第２フィールドではクロック信号ＣＬＹを論理反転した波形
となる。このため、極性指示信号Ｐolは、図６で実線にて示されるように期間Ｂ1、Ｂ2を
含んでＨレベルとなり、期間Ｂ3、Ｂ4を含んでＬレベルとなる一方、第２フィールドでは
、破線にて示されるように期間Ｂ1、Ｂ2を含んでＬレベルとなり、期間Ｂ3、Ｂ4を含んで
Ｈレベルとなる。
【００２７】
ここで、上領域に対応するシフト信号Ｙ1は、２経路に分岐され、このうち一方に分岐
したものが、イネーブル信号Ｅnb1との論理積によってパルス幅が狭められて走査信号Ｇ1
となり、他方に分岐したものが、イネーブル信号Ｅnb2との論理積によってパルス幅が狭
められて走査信号Ｇ2となる。また、シフト信号Ｙ1と同時にＨレベルとなり、下領域に対
応するシフト信号Ｙ81のうち一方に分岐したものが、イネーブル信号Ｅnb3との論理積に
よってパルス幅が狭められて走査信号Ｇ161となり、他方に分岐したものが、イネーブル
信号Ｅnb4との論理積によってパルス幅が狭められて走査信号Ｇ162となる。
シフト信号Ｙ1、Ｙ81の次には、シフト信号Ｙ2、Ｙ82がＨレベルとなるが、シフト信号
Ｙ2のうち一方に分岐したものが、イネーブル信号Ｅnb1との論理演算によって走査信号Ｇ
3となり、他方に分岐したものが、イネーブル信号Ｅnb2との論理演算によって走査信号Ｇ
4となる。また、シフト信号Ｙ82のうち一方に分岐したものが、イネーブル信号Ｅnb3との
論理演算によって走査信号Ｇ163となり、他方に分岐したものが、イネーブル信号Ｅnb4と
の論理演算によって走査信号Ｇ164となる。
【００２８】
これを一般的に表すと、上領域に対応するシフト信号Ｙpのうち一方に分岐したものが
、イネーブル信号Ｅnb1との論理演算によって走査信号Ｇ(2p-1)となり、他方に分岐した
ものが、イネーブル信号Ｅnb2との論理演算によって走査信号Ｇ(2p)となる。また、シフ
ト信号Ｙ(p+80)のうち一方に分岐したものが、イネーブル信号Ｅnb3との論理演算によっ
て走査信号Ｇ(2p+159)となり、他方に分岐したものが、イネーブル信号Ｅnb4との論理演
算によって走査信号Ｇ(2p+160)となる。ここで、ｐは、本実施形態において初期値１から
最終値８０まで１ずつ増加する整数である。
【００２９】
したがって、本実施形態において、走査信号がＨレベルとなる走査線１１２の順番は、
第１および第２フィールドのそれぞれにおいて、１、２、１６１、１６２、３、４、１６
３、１６４、……、１５９、１６０、３１９、３２０行目となって、上領域の走査線を上
から順番に２行ずつ選択した後、下領域の走査線を上から順番に２行ずつ選択し、再び上
領域の走査線を２行選択するという動作の繰り返しとなる。
【００３０】
さて、第１フィールドにおいて、最初に走査信号Ｇ1がＨレベルとなる期間（図７にお
いてｐ＝１）の直前において、タイミング制御回路２０は、信号Ｓ１、Ｓ２、Ｓ３をすべ
てＨレベルとする。信号Ｓ１、Ｓ２、Ｓ３がすべてＨレベルになると、セレクタ１４２４
は、ラッチ回路１４２３にラッチされているデータを選択して１６０列に分配出力する。
上述したように、ラッチ回路１４２３でラッチされたデータは、最も明るい階調を指定す
る画像データに相当する。また、ここでは、第１フィールドにおいて走査信号Ｇ1がＨレ
ベルとなる期間Ｂ1の直前であるので、極性指示信号ＰolはＨレベルであり、正極性書込
が指定される。このため、すべてのＤ／Ａ変換器１４２５から出力される電圧は、最も明
るい階調に相当する正極性の電圧Ｖwpとなる。
一方、信号Ｓ１、Ｓ２、Ｓ３が同時にＨレベルになると、すべてのスイッチ１４４がオ
ンする。このため、すべてのデータ線１１４は、当該電圧Ｖwpにプリチャージされること
になる。
【００３１】
なお、図７では、１〜４８０列目のデータ線１１４のうち、代表して例えば１列目のデ
ータ線の電圧変化が示されている。
データ線１１４の電圧は、正極性書込であれば、白色に相当する電圧Ｖwpから黒色に相
当する電圧Ｖbpまでの範囲で、一方、負極性書込であれば、白色に相当する電圧Ｖwmから
黒色に相当する電圧Ｖbmまでの範囲で、それぞれ電圧ＬＣcomから画素の階調に応じた分
だけシフトした電圧となる。ここで、正極性の電圧Ｖwp、Ｖbp、負極性の電圧Ｖwm、Ｖbm
は、それぞれ電圧ＬＣcomを中心に互いに対称の関係にある。
また、走査信号やサンプリング信号の論理レベルのうち、Ｈレベルは電圧Ｖddであり、
Ｌレベルは本実施形態における電圧の基準であって接地電位Ｇndである。ただし、本実施
形態における書込極性は、液晶容量１２０に対する書込極性をいうので、その正負の基準
は接地電位Ｇndではなく、電圧ＬＣcomである。なお、図７におけるデータ線の電圧の縦
スケールは、他の電圧波形と比較して拡大してある。
図７は電圧ＬＣcomが１レベルで固定の場合について示しているが、電圧ＬＣcomを極性
切替に応じて２つの電圧レベルで変動させることで、電圧ＬＣcomを基準にして、実質的
に画素に正極性と負極性の電圧が印加されるようにしても良い。
なお、電圧ＬＣcomを変動させる場合は、画像信号の電圧振幅は、電圧ＬＣcomを１レベ
ルとした場合の半分で済むため、低消費電力化を図ることが可能となる。
【００３２】
次に、タイミング制御回路２０は、信号Ｓ１、Ｓ２、Ｓ３をＬレベルとした後に、走査
信号Ｇ1だけがＨレベルとなる。この後、タイミング制御回路２０は、信号Ｓ１だけをＨ
レベルとする。信号Ｓ１だけがＨレベルになると、セレクタ１４２４は、ブロックＢａに
属するラッチ回路１４２２を選択して、これらラッチ回路１４２２にラッチされた１行目
であって１、４、７、…、４７８列目の画像データＤsを選択出力する。極性指示信号Ｐo
lはＨレベルであり、正極性書込が指定されているので、Ｄ／Ａ変換器１４２５からは、
画像データＤsで指定された階調値に応じた電圧だけ、電圧ＬＣcomよりも高位側の電圧が
それぞれ出力される。
また、信号Ｓ１がＨレベルであると、１、４、７、…、４７８列目のスイッチ１４４が
オンになるので、データ信号ｄ１、ｄ２、ｄ３、…、ｄ１６０は、１、４、７、…、４７
８列目のデータ線１１４にそれぞれ供給される。
このため、例えば１列目のデータ線の電圧は、信号Ｓ１だけがＨレベルとなる期間では
、図において↑で示されるように、１行１列の画像データＤsで指定された階調値に応じ
た電圧だけ、電圧ＬＣcomよりも高位側電圧となる。また、４、７、…、４７８列目のデ
ータ線１１４の電圧についても、それぞれ１行４列、１行７列、…、１行４７８列の画像
データＤsで指定された階調値に応じた電圧だけ、電圧ＬＣcomよりも高位側電圧となる。
【００３３】
一方、走査信号Ｇ1がＨレベルである状態では、１行目に位置する画素１１０における
ＴＦＴ１１６がオン状態にある。このため、１列目のデータ線１１４に供給されたデータ
信号ｄ１は、１行１列の画素電極１１８に印加される。これにより、１行１列の液晶容量
１２０には、対向電極１０８の電圧ＬＣcomとデータ信号ｄ１の電圧との差、すなわち、
１行１列の画像データＤsで指定された階調値に応じた電圧が書き込まれることになる。
同様に、４、７、…、４７８列目のデータ線１１４に供給されたデータ信号ｄ２、ｄ３、
…、ｄ１６０も１行４列、１行７列、…、１行４７８列の画素電極１１８に印加される。
これにより、１行目であって、ａ系列のデータ線１１４との交差に対応する液晶容量１２
０には、それぞれ画像データＤsで指定された階調値に応じた電圧が書き込まれることに
なる。
【００３４】
続いて、タイミング制御回路２０は、信号Ｓ１をＬレベルとした後に、信号Ｓ２だけを
Ｈレベルとする。信号Ｓ２だけがＨレベルになると、セレクタ１４２４は、ブロックＢｂ
に属するラッチ回路１４２２を選択して、これらラッチ回路１４２２にラッチされた１行
目であって２、５、８、…、４７９列目の画像データＤsを選択出力する。極性指示信号
Ｐolは依然としてＨレベルであり、正極性書込が指定されているので、Ｄ／Ａ変換器１４
２５からは、画像データＤsで指定された階調値に応じた電圧だけ、電圧ＬＣcomよりも高
位側の電圧がそれぞれ出力される。このため、データ信号ｄ１、ｄ２、ｄ３、…、ｄ１６
０は、それぞれ１行２列、１行５列、１行８列、…、１行４７９列の画像データＤsで指
定された階調値に応じた電圧だけ、電圧ＬＣcomよりも高位側電圧となる。
また、信号Ｓ２がＨレベルであると、２、５、８、…、４７９列目のスイッチ１４４が
オンになるので、データ信号ｄ１、ｄ２、ｄ３、…、ｄ１６０は、２、５、８、…、４７
９列目のデータ線１１４にそれぞれ供給される。
走査信号Ｇ1がＨレベルであるので、２、５、８、…、４７９列目のデータ線１１４に
供給されたデータ信号は、１行２列、１行５列、１行８列、…、１行４７９列の画素電極
１１８に印加され、これにより、１行目であって、ｂ系列のデータ線１１４との交差に対
応する液晶容量１２０には、それぞれ画像データＤsで指定された階調値に応じた電圧が
書き込まれることになる。
【００３５】
そして、タイミング制御回路２０は、信号Ｓ２をＬレベルとした後に、信号Ｓ３だけを
Ｈレベルとする。信号Ｓ３だけがＨレベルになると、セレクタ１４２４は、ブロックＢｃ
に属するラッチ回路１４２２を選択して、これらラッチ回路１４２２にラッチされた１行
目であって３、６、９、…、４８０列目の画像データＤsを選択出力する。極性指示信号
Ｐolは依然としてＨレベルであり、正極性書込が指定されているので、Ｄ／Ａ変換器１４
２５からは、画像データＤsで指定された階調値に応じた電圧だけ、電圧ＬＣcomよりも高
位側の電圧がそれぞれ出力される。このため、データ信号ｄ１、ｄ２、ｄ３、…、ｄ１６
０は、それぞれ１行３列、１行６列、１行９列、…、１行４８０列の画像データＤsで指
定された階調値に応じた電圧だけ、電圧ＬＣcomよりも高位側電圧となる。
また、信号Ｓ３がＨレベルであると、３、６、９、…、４８０列目のスイッチ１４４が
オンになるので、データ信号ｄ１、ｄ２、ｄ３、…、ｄ１６０は、３、６、９、…、４８
０列目のデータ線１１４にそれぞれ供給される。
走査信号Ｇ1がＨレベルであるので、３、６、９、…、４８０列目のデータ線１１４に
供給されたデータ信号は、１行３列、１行６列、１行９列、…、１行４８０列の画素電極
１１８に印加され、これにより、１行目であって、ｃ系列のデータ線１１４との交差に対
応する液晶容量１２０には、それぞれ画像データＤsで指定された階調値に応じた電圧が
書き込まれて、１行目の画素に対し、階調に応じた正極性電圧が書き込まれることになる
。
【００３６】
走査信号Ｇ1の次には、走査信号Ｇ2がＨレベルとなって、２行目の画素に対し、階調に
応じた電圧が書き込まれる。ただし、走査信号Ｇ2がＨレベルとなる直前においては、信
号Ｓ１、Ｓ２、Ｓ３が同時にＨレベルとはならないので、データ線１１４に対してプリチ
ャージは行われない。この理由は、データ線１１４は、寄生容量によって直前に印加され
たデータ信号の電圧を保持しているが、第１フィールドにおいて２行目の画素に対する書
込極性は、直前の１行目の画素に対する書込極性と同じ正極性であるので、データ線１１
４を１行目の画素の階調に応じた電圧から２行目の画素の階調に応じた電圧に変化させる
のに充放電量が少なく、事前に同極性の電圧でプリチャージする必要性に乏しいからであ
る。
【００３７】
走査信号Ｇ2の次には、走査信号Ｇ161がＨレベルとなって、１６１行目の画素に対し、
階調に応じた電圧が書き込まれる。ただし、第１フィールドにおいては、１６１行目の画
素に対する電圧の書き込み時に極性指示信号ＰolがＬレベルに反転するので、負極性電圧
の書き込みとなる。このため、データ線１１４を２行目の画素の階調に応じた正極性電圧
から３行目の画素の階調に応じた負極性電圧に変化させるのに充放電量が多くなるので、
走査信号Ｇ161がＨレベルとなる直前においては、信号Ｓ１、Ｓ２、Ｓ３が同時にＨレベ
ルとなって、データ線１１４に対するプリチャージが実行される。なお、ここでは負極性
書込直前のプリチャージであるので、すべてのデータ線１１４は、最も明るい階調に相当
する負極性の電圧Ｖwmにプリチャージされることになる。
走査信号Ｇ161の次には、走査信号Ｇ162がＨレベルとなって、１６２行目の画素に対し
、階調に応じた電圧が書き込まれる。第１フィールドにおいて１６２行目の画素に対する
書込極性は、直前の１６１行目の画素に対する書込極性と同じ負極性であるので、データ
線１１４に対してプリチャージは行われない。
【００３８】
以上が第１フィールドにおいて、最初のシフト信号Ｙ1がＨレベルとなる期間Ａ（ｐ＝
１）の動作である。次にシフト信号Ｙ2がＨレベルとなる期間（ｐ＝２）では、走査信号
Ｇ3、Ｇ4、Ｇ163、Ｇ164が順番にＨレベルとなって、３、４、１６３、１６４行目の画素
に対して、階調に応じた電圧の書き込み動作が実行される。このとき、３（１６３）行目
の画素に対する電圧の書き込みは、直前の１６２（４）行目の画素に対する書き込みから
極性反転するので、直前にプリチャージが実行されるが、４（１６４）行目の画素に対す
る電圧の書き込みは、直前の３（１６３）行目の画素に対する書き込みと同一極性である
ので、直前にプリチャージは実行されない。
一般化して説明すると、第１フィールドでは、シフト信号ＹpがＨレベルとなる期間Ａ
において、走査信号Ｇ(2p-1)、Ｇ(2p)、Ｇ(2p+159)、Ｇ(2p+160)が順番かつ排他的にＨレ
ベルとなって、（２ｐ−１）および（２ｐ）行目の画素に対し階調に応じた正極性電圧の
書き込みが実行される一方、（２ｐ＋１５９）および（２ｐ＋１６０）行目の画素に対し
階調に応じた負極性電圧の書き込みが実行される。このとき、（２ｐ−１）行目の画素に
電圧を書き込み前では、データ線１１４を正極性書込に応じた電圧にプリチャージする動
作が実行されるが、（２ｐ）行目の画素に電圧を書き込み前では、プリチャージ動作が実
行されない。一方、（２ｐ＋１５９）行目の画素に電圧を書き込み前では、データ線１１
４を負極性書込に応じた電圧にプリチャージする動作が実行されるが、（２ｐ＋１６０）
行目の画素に電圧を書き込み前では、プリチャージ動作が実行されない。
第１フィールドにおいて、このような動作は、シフト信号Ｙ80がＨレベルとなって（ｐ
＝８０）、走査信号Ｇ159、Ｇ160、Ｇ319、Ｇ320がＨレベルとなるまで、繰り返される。
これにより、第１フィールドでは、上領域の画素について階調に応じた正極性電圧が書
き込まれる一方、下領域の画素について階調に応じた負極性電圧が書き込まれることにな
る。
【００３９】
第２フィールドにおいても、同様な動作な繰り返されるが、極性指示信号Ｐolが反転す
るので、（２ｐ−１）および（２ｐ）行目の画素に対し階調に応じた負極性電圧の書き込
みが実行される一方、（２ｐ＋１５９）および（２ｐ＋１６０）行目の画素に対し階調に
応じた正極性電圧の書き込みが実行される。このとき、（２ｐ−１）行目の画素に電圧を
書き込み前では、データ線１１４を負極性書込に応じた電圧にプリチャージする動作が実
行されるが、（２ｐ）行目の画素に電圧を書き込み前では、プリチャージ動作が実行され
ないし、（２ｐ＋１５９）行目の画素に電圧を書き込み前では、データ線１１４を正極性
書込に応じた電圧にプリチャージする動作が実行されるが、（２ｐ＋１６０）行目の画素
に電圧を書き込み前では、プリチャージ動作が実行されない。
【００４０】
本実施形態では、図８に示されるように、第１フィールドにおいて上領域の画素では２
行毎に正極性書き込みがなされ、下領域の画素では２行毎に負極性書き込みがなされて、
次の書き込みまで保持される一方、第２フィールドにおいて上領域の画素では２行毎に負
極性書き込みがなされ、下領域の画素では２行毎に正極性書き込みがなされて、同様に次
の書き込みまで保持されるので、いずれのタイミングにおいても、正極性電圧を保持する
画素と負極性電圧を保持する画素との割合が５０％ずつとなる。このため、画素の保持期
間において、データ線１１４の極性は一方に偏ることがなくなり、これにより、表示が不
均一となることが防止される。
なお、図８は、本実施形態において、書き込みが実行される画素行を■（プリチャージ
有）または□（プリチャージ無）で示し、この書き込みがなされる行と、時間経過との関
係を簡易的に示す図であり、１〜３２０行の一部を省略している（後述する図９について
も同様）。
【００４１】
さらに、本実施形態では、シフト信号ＹpがＨレベルとなる期間Ａにおいて、（２ｐ−
１）、（２ｐ）、（２ｐ＋１５９）および（２ｐ＋１６２）行目の画素に対し階調に応じ
た電圧の書き込みがなされるが、プリチャージ動作は、書込極性が直前から反転する（２
ｐ−１）および（２ｐ＋１５９）行目の画素に対する書き込みの前にのみ実行され、書込
極性が直前から変化しない（２ｐ）および（２ｐ＋１６０）行目の画素に対する書き込み
の前では実行されない。このため、期間Ａが同一であれば、各行に対する書き込みの前に
毎回プリチャージする構成と比較して、その分、イネーブル信号Ｅnb1、Ｅnb2、Ｅnb3、
Ｅnb4のパルス幅を拡げて、画素に対する書込期間を長くすることができる。
換言すれば、通常秒間６０フレームに固定されるので、画素数が多くなって高解像度化
が進行すると、階調に応じた電圧を画素電極に印加する時間がそれだけ短くなって、充分
な書き込みができなくなるが、本実施形態によれば、プリチャージをする時間を削減した
分だけ、画素に対する書込期間を長くすることができるので、高解像度化が容易となるの
である。
【００４２】
なお、上述した実施形態では、プリチャージする行については、各フィールドおよび各
フレームにおいて固定されるので、プリチャージする行と、しない行とで表示品位に差が
生じる可能性がある。そこで、プリチャージする行と、しない行とを定期的に入れ替える
構成としても良い。
例えば、図９に示されるように、あるｎフレームにおいて、実施形態と同様に、シフト
信号ＹpがＨレベルとなる期間において、書込極性が直前から反転する（２ｐ−１）およ
び（２ｐ＋１５９）行目の画素に対する書き込みの前にプリチャージ動作が実行され、（
２ｐ）および（２ｐ＋１６０）行目の画素に対する書き込みの前ではプリチャージ動作が
省略される場合、次の（ｎ＋１）フレームにおいては、（２ｐ−１）および（２ｐ＋１５
９）行目の画素に対する書き込みの前のプリチャージ動作を省略し、（２ｐ）および（２
ｐ＋１６０）行目の画素に対する書き込みの前でプリチャージ動作を実行しても良い。こ
うすると、２フレームの期間でみた場合に、プリチャージする行と、しない行とにおける
差が平均化されるので、表示品位の差として視認されにくくなるのである。
【００４３】
また、本実施形態では、同一波形となる２つのシフト信号のパルスを４つのイネーブル
信号で４つの走査信号Ｇ(2p-1)、Ｇ(2p)、Ｇ(2p+159)、Ｇ(2p+160)を抜き出すので、２つ
のイネーブル信号で抜き出す構成と比較して、イネーブル信号の周波数を低減することが
可能である。
さらに、本実施形態では、同一波形となる２つのシフト信号のパルスを４つのイネーブ
ル信号で４つの走査信号Ｇ(2p-1)、Ｇ(2p)、Ｇ(2p+159)、Ｇ(2p+160)を抜き出したが、偶
数２ｍ倍のイネーブル信号で、２ｍ個の走査信号を抜き出す構成としても良い。例えば、
偶数８個のイネーブル信号を用いれば、同一波形となる２つのシフト信号のパルスから、
走査信号Ｇ(4p-3)、Ｇ(4p-2)、Ｇ(4p-1)、Ｇ(4p)、Ｇ(4p+157)、Ｇ(4p+158)、Ｇ(4p+159)
、Ｇ(4p+160)を抜き出すことになる。このとき、プリチャージ動作については、書込極性
が直前から反転する（４ｐ−３）および（４ｐ＋１５７）行目の画素に対する書き込みの
前にのみ実行し、他の行については書込極性が直前から変化しないので実行する必要がな
い。
【００４４】
なお、実施形態では、電圧無印加状態において白色を表示するノーマリーホワイトモー
ドとしたが、電圧無印加状態において黒色を表示するノーマリーブラックモードとしても
良い。また、Ｒ（赤）、Ｇ（緑）、Ｂ（青）の３画素で１ドットを構成して、カラー表示
を行うとしても良い。表示領域１００は透過型に限られず、反射型や、両者の中間的な半
透過半反射型であっても良い。
【００４５】
上述した実施形態では、データ線１１４を３列毎にグループ化して、各グループのａ、
ｂ、ｃ系列に対応してブロックＢａ、Ｂｂ、Ｂｃに分けたが、データ線１１４の列数に応
じて、４以上のブロックに分けても良い。また、実施形態では、プリチャージ電圧を、最
も明るい階調に相当する電圧としたが、別の階調に相当する電圧や、他の電圧としても良
い。
【００４６】
次に、上述した実施形態に係る電気光学装置を用いた電子機器の例について説明する。
図１０は、上述した電気光学装置１０における表示領域１００をライトバルブとして用い
た３板式プロジェクタの構成を示す図である。
このプロジェクタ２１００において、ライトバルブに入射させるための光は、内部に配
置された３枚のミラー２１０６および２枚のダイクロイックミラー２１０８によってＲ（
赤）、Ｇ（緑）、Ｂ（青）の３原色に分離されて、各原色に対応するライトバルブ１００
Ｒ、１００Ｇおよび１００Ｂにそれぞれ導かれる。なお、Ｂ色の光は、他のＲ色やＧ色と
比較すると、光路が長いので、その損失を防ぐために、入射レンズ２１２２、リレーレン
ズ２１２３および出射レンズ２１２４からなるリレーレンズ系２１２１を介して導かれる
。
【００４７】
ここで、ライトバルブ１００Ｒ、１００Ｇおよび１００Ｂの構成は、上述した実施形態
における電気光学装置１０の表示領域１００と同様であり、外部上位回路（図示省略）か
ら供給されるＲ、Ｇ、Ｂの各色に対応する画像データでそれぞれ駆動されるものである。
ライトバルブ１００Ｒ、１００Ｇ、１００Ｂによってそれぞれ変調された光は、ダイク
ロイックプリズム２１１２に３方向から入射する。そして、このダイクロイックプリズム
２１１２において、Ｒ色およびＢ色の光は９０度に屈折する一方、Ｇ色の光は直進する。
したがって、各色の画像が合成された後、レンズユニット１８２０によって正転拡大投影
されるので、スクリーン２１２０には、カラー画像が表示されることとなる。
【００４８】
なお、ライトバルブ１００Ｒ、１００Ｂの透過像は、ダイクロイックプリズム２１１２
により反射した後に投射されるのに対し、ライトバルブ１００Ｇの透過像はそのまま投射
されるので、ライトバルブ１００Ｒ、１００Ｂによる水平走査方向は、ライトバルブ１０
０Ｇによる水平走査方向と逆向きにして、左右反転像を表示させる構成となっている。
【００４９】
また、電子機器としては、図１０を参照して説明した他にも、直視型、例えば携帯電話
や、パーソナルコンピュータ、テレビジョン、ビデオカメラのモニタ、カーナビゲーショ
ン装置、ページャ、電子手帳、電卓、ワードプロセッサ、ワークステーション、テレビ電
話、ＰＯＳ端末、ディジタルスチルカメラ、タッチパネルを備えた機器等などが挙げられ
る。そして、これらの各種の電子機器に対して、本発明に係る電気光学装置が適用可能な
のは言うまでもない。
【図面の簡単な説明】
【００５０】
【図１】本発明の実施形態に係る電気光学装置の構成を示すブロック図である。
【図２】同電気光学装置における画素の構成を示す図である。
【図３】同電気光学装置における走査線駆動回路の構成を示す図である。
【図４】同電気光学装置におけるデータ信号供給回路の構成を示す図である。
【図５】同電気光学装置におけるシフト信号等を示す図である。
【図６】同電気光学装置における走査信号等を示す図である。
【図７】同電気光学装置における信号Ｓ１等を示す図である。
【図８】同電気光学装置の各行に対する書き込み等を示す図である。
【図９】同電気光学装置の各行に対する書き込み等の別例を示す図である。
【図１０】実施形態に係る電気光学装置を用いたプロジェクタの構成を示す図である。
【符号の説明】
【００５１】
１０…電気光学装置、２０…タイミング制御回路、１００…表示領域、１０５…液晶、
１０８…対向電極、１１０…画素、１１２…走査線、１１４…データ線、１１６…ＴＦＴ
、１１８…画素電極、１２０…液晶容量、１４０…走査線駆動回路、１５０…データ線駆
動回路、１５２…データ信号供給回路、２１００…プロジェクタ
【図１】
0005162830.tif 000002
【図２】
0005162830.tif 000003
【図３】
0005162830.tif 000004
【図４】
0005162830.tif 000005
【図５】
0005162830.tif 000006
【図６】
0005162830.tif 000007
【図７】
0005162830.tif 000008
【図８】
0005162830.tif 000009
【図９】
0005162830.tif 000010
【図１０】
0005162830.tif 000011